(57)【要約】【課題】簡易な構造で、必要なときに自動的にディスプレイの表示が最新の内容に更新されるとともに、ディスプレイによる表示のための電源の電力が無駄に消費されないようにする。【解決手段】ディスプレイ１０２を備えたＩＣカード１００であって、定期券情報、乗車券や特急券等のデジタルチケット情報、ストアードフェアの残額情報等を書き換え可能に記憶するメモリ１０５と、ディスプレイ１０２の表示制御を行う表示制御ＩＣチップ１０６と、ディスプレイ１０２による表示のための電源１０７と、光を検知する光検知部１０８とを備え、光検知部１０８により光を検知すると、電源１０７の電力供給により、表示制御ＩＣチップ１０６がメモリ１０５の情報に対応させるようにディスプレイ１０２の表示制御を行う。【選択図】図２
2008217093.tif 000002
【特許請求の範囲】
【請求項１】
表示手段を備えたＩＣカードであって、
情報を記憶する記憶手段と、
前記表示手段の表示制御を行う表示制御手段と、
前記表示手段による表示のための電源と、
光を検知する光検知手段とを備え、
前記光検知手段により光を検知すると、前記電源の電力供給により、前記表示制御手段が前記記憶手段の情報に対応させるように前記表示手段の表示制御を行うことを特徴とするＩＣカード。
【請求項２】
駅務機器との間で無線通信を行うための無線通信手段と、
前記無線通信手段を介して前記記憶手段の情報を前記駅務機器に送信したり、前記駅務機器から情報を受信して前記記憶手段の情報を書き換えたりする制御手段とを更に備えたことを特徴とする請求項１に記載のＩＣカード。
【発明の詳細な説明】
【技術分野】
【０００１】
本発明は、表示手段を備えたＩＣカードに関する。
【背景技術】
【０００２】
ＩＣカードは、磁気カード等に比べて記憶容量が大きく、機密性や安全性に優れているといった理由から、多種多様な分野において利用されている。
【０００３】
ＩＣカードを利用するに際し、その内部に記憶されている電子的なデータをどのようにして可視化するかが一つの重要な課題となっている。
【０００４】
例えば特許文献１には、ディスプレイ機能付きＩＣカードであって、電池及び電源供給ＯＮ／ＯＦＦのスイッチを設けたものが開示されている。このディスプレイ機能付きＩＣカードでは、電源電圧を、ＩＣカードリーダライタ等を介して外部から供給することなく、内蔵された電池からスイッチをＯＮにして供給することによって、ディスプレイにデータを表示させることができる。
【０００５】
【特許文献１】特開平８−７７３１６号公報
【発明の開示】
【発明が解決しようとする課題】
【０００６】
ディスプレイを備えたＩＣカードにおいては、必要なときにディスプレイの表示が最新の内容に更新されることが求められる。その一方で、ディスプレイの表示制御を常時行うのでは、電力消費が大きくなってしまう。特にディスプレイによる表示のための電源を設けている場合、その電源の電力消費はできるだけ抑えることが求められる。
【０００７】
特許文献１にあるようにＩＣカードにスイッチを設ける場合、必要なときにスイッチをＯＮにすればディスプレイにデータを表示させることができるが、スイッチ操作を行わなければならず、操作性に劣る。また、スイッチを設けるために構造が複雑となり、コストアップの要因となってしまう。特にＩＣカードに穴を形成する加工等を施すようなスイッチ構造とした場合、その加工部位が破損しやすくなり、耐久性を確保しにくくなってしまう。
【０００８】
本発明は、上記のような点に鑑みてなされたものであり、簡易な構造で、必要なときに自動的にディスプレイの表示が最新の内容に更新されるとともに、ディスプレイによる表示のための電源の電力が無駄に消費されないようにすることを目的とする。
【課題を解決するための手段】
【０００９】
本発明によるＩＣカードは、表示手段を備えたＩＣカードであって、情報を記憶する記憶手段と、前記表示手段の表示制御を行う表示制御手段と、前記表示手段による表示のための電源と、光を検知する光検知手段とを備え、前記光検知手段により光を検知すると、前記電源の電力供給により、前記表示制御手段が前記記憶手段の情報に対応させるように前記表示手段の表示制御を行うことを特徴とする。
【発明の効果】
【００１０】
本発明によれば、簡易な構造で、必要なときに自動的に表示手段の表示が最新の内容に更新されるとともに、表示手段による表示のための電源の電力が無駄に消費されないようにすることができる。
【発明を実施するための最良の形態】
【００１１】
以下、添付図面を参照して、本発明の好適な実施形態について説明する。
図１、２は、本発明を適用した実施形態に係る非接触ＩＣカード１００の構成を示す図である。本実施形態では、Ｓｕｉｃａ（登録商標）のように主に交通機関で利用される非接触ＩＣカード１００を説明する。非接触ＩＣカード１００は、例えば定期券情報、乗車券や特急券等のデジタルチケット情報、ストアードフェア（ＳＦ）の残額情報を書き換え可能に記憶し、図３に示すように、アンテナ２０１及びリーダ／ライタ２０２を搭載した駅務機器（図示例では自動改札機）２００と無線通信を行う。
【００１２】
図１、２に示すように、非接触ＩＣカード１００のカード本体１０１には、表示手段の一例であるディスプレイ１０２が設けられている。ディスプレイ１０２としては、電力供給がなくても表示が残存するディスプレイ、例えばマイクロカプセル型電気泳動式ディスプレイが用いられる。このように電力供給がなくても表示が残存するディスプレイを用いることにより、ユーザはいつでもディスプレイ１０２の表示を視認することができ、また、ディスプレイ１０２の表示更新時にのみ電力が消費されるので電力消費を抑えることができる。図１には、ディスプレイ１０２に、定期券情報、デジタルチケット情報、ＳＦの残額情報の３つが表示されている例を示す。
【００１３】
図２に示すように、カード本体１０１には、無線通信手段の一例であるアンテナ１０３と、制御手段の一例であるＩＣチップ１０４と、記憶手段の一例であるメモリ１０５と、ディスプレイ１０２の表示制御を行う表示制御手段の一例である表示制御ＩＣチップ１０６と、ディスプレイ１０２による表示のための電源１０７とが内蔵されている。また、カード本体１０１には、光を検知する光検知手段の一例である光検知器１０８が設けられている。
【００１４】
アンテナ１０３は、ループコイルからなり、非接触ＩＣカード１００を駅務機器２００の読み取り部２０３にかざしたときに（図３を参照）、駅務機器２００との間で電磁誘導方式の無線通信を行う。
【００１５】
ＩＣチップ１０４は、ＣＰＵ、ＲＯＭ、ＲＡＭを含み、非接触ＩＣカード１００を駅務機器２００の読み取り部２０３にかざしたときに電磁誘導方式で得られる電力で駆動し、ＲＯＭに記憶されているプログラムをＣＰＵが実行することにより、メモリ１０５のデータを駅務機器２００に送信したり、駅務機器２００からデータやコマンドを受信してメモリ１０５のデータを書き換えたりする。
【００１６】
メモリ１０５は、駅務機器２００との間で送受信するデータ（定期券情報、デジタルチケット情報、ＳＦの残額情報）を書き換え可能に記憶する。
【００１７】
表示制御ＩＣチップ１０６は、ＣＰＵ、ＲＯＭ、ＲＡＭを含み、電源１０７の電力で駆動し、ＲＯＭに記憶されているプログラムをＣＰＵが実行することにより、ディスプレイ１０２の表示制御を行う。上述したようにディスプレイ１０２は電力供給がなくても表示が残存するので、表示制御ＩＣチップ１０６は主にディスプレイ１０２の表示更新制御を行う。
【００１８】
電源１０７は、ディスプレイ１０２による表示機能専用の電源である。電源１０７としては、一次電池及び二次電池のいずれが用いられてもよい。ディスプレイ１０２による表示機能も電磁誘導方式で得られる電力で行うようにした場合、例えばＩＣチップ１０４の電力消費が大きいときに、電力不足でディスプレイ１０２による表示機能が不安定になってしまうおそれがある。そこで、ディスプレイ１０２による表示機能専用の電源１０７を設けることにより、ＩＣチップ１０４による処理と、ディスプレイ１０２による表示とが相互に影響を与えるのを避けるようにしている。上述したようにディスプレイ１０２は電力供給がなくても表示が残存するので、電源１０７の電力は主にディスプレイ１０２の表示更新時に消費される。
【００１９】
光検知部１０８は、光を検知して表示制御ＩＣチップ１０６に通知するものであり、太陽電池が用いられる。光検知部１０８により光を検知すると、電源１０７の電力供給により、表示制御ＩＣチップ１０６がメモリ１０５のデータを読み取り、データが書き換えられていればディスプレイ１０２の表示を更新するようにしている。
【００２０】
次に、非接触ＩＣカード１００及び駅務機器２００で行われる処理、ここでは一例としてＳＦの残額情報に基づく自動改札機２００での出場処理を説明する。図３に示すように非接触ＩＣカード１００を自動改札機２００の読み取り部２０３にかざすと、非接触ＩＣカード１００と自動改札機２００とが無線通信を行う。自動改札機２００では、非接触ＩＣカード１００のメモリ１０５のデータを読み取り、ＳＦの残額情報が運賃等の利用料金に対して充足しているか否か判定する。その結果、ＳＦの残額情報が充足していると判定すると、自動改札機２００は、不図示のドアを開いて出場を許可するとともに、利用料金を減算した残金情報に書き換えるよう書き換え指令を非接触ＩＣカード１００に送信する。非接触ＩＣカード１００のＩＣチップ１０４は、書き換え指令を受けて、メモリ１０５のＳＦの残額情報を書き換える。
【００２１】
また、一例としてデジタルチケット情報に基づく自動改札機２００での出場処理を説明する。図３に示すように非接触ＩＣカード１００を自動改札機２００の読み取り部２０３にかざすと、非接触ＩＣカード１００と自動改札機２００とが無線通信を行う。自動改札機２００では、非接触ＩＣカード１００のメモリ１０５のデータを読み取り、デジタルチケット情報の券種の判定、期間や区間の判定等を行う。その結果、デジタルチケット情報が有効であると判定すると、自動改札機２００は、不図示のドアを開いて出場を許可するとともに、該当デジタルチケット情報を削除するよう削除指令を非接触ＩＣカード１００に送信する。非接触ＩＣカード１００のＩＣチップ１０４は、削除指令を受けて、メモリ１０５の該当デジタルチケット情報を削除するように書き換える。
【００２２】
なお、上述した処理は一例であり、駅務機器２００としては、自動改札機以外にも、駅員が用いる携帯型端末装置、定期券発売機、のりこし精算機、自動発券機等がある。
【００２３】
ここで、ディスプレイ１０２の表示制御としては、例えばメモリ１０５のデータが書き換えられる度に、表示制御ＩＣチップ１０６がメモリ１０５のデータを読み取り、ディスプレイ１０２の表示を更新する方式、すなわちメモリ１０５のデータ書き換えとディスプレイ１０２の表示更新とを同期させる方式が考えられる。
【００２４】
しかしながら、以下に詳述するように、メモリ１０５のデータ書き換えとディスプレイ１０２の表示更新とを同期させる必要はなく、逆に同期方式では、電源１０７の電力が無駄に消費されてしまうことがある。
【００２５】
非接触ＩＣカード１００は、財布やパスケースに入れたまま駅務機器２００の読み取り部２０３にタッチすれば、駅務機器２００との無線通信が可能である。多くの場合、ユーザは非接触ＩＣカード１００を財布やパスケースに入れたまま読み取り部２０３にタッチし、その都度ディスプレイ１０２の表示を視認しない。それよりも、例えば交通機関を利用する前に、メモリ１０５のデータは現在どのようになっているかをディスプレイ１０２で視認することの方が多い。
【００２６】
すなわち、特に交通機関で利用される非接触ＩＣカード１００においては、メモリ１０５のデータが書き換えられるタイミングと、ユーザがディスプレイ１０２の表示を視認するタイミングとは必ずしも一致していない。そのため、メモリ１０５のデータ書き換えとディスプレイ１０２の表示更新とを同期させる方式とした場合、ある時点で更新されたディスプレイ１０２の表示をユーザが視認しないうちに、メモリ１０５のデータが新たに書き換えられてディスプレイ１０２の表示が更新される事態も生じる。このようにユーザに視認されない表示更新は必要でなく、それだけ電源１０７の電力が無駄に消費されてしまうことになる。
【００２７】
そこで、本実施形態の非接触ＩＣカード１００では、光検知部１０８により光を検知したときに、電源１０７の電力供給により、表示制御ＩＣチップ１０６がメモリ１０５のデータを読み取り、データが書き換えられていればディスプレイ１０２の表示を更新するようにしている。マイクロカプセル型電気泳動式ディスプレイ等はバックライトを備えておらず、ディスプレイ１０２の表示を視認する際、ユーザは非接触ＩＣカード１００を外光下や照明下にさらす。したがって、光検知部１０８により光を検知したときにディスプレイ１０２の表示が更新されればよく、これにより電源１０７の電力が無駄に消費されないようにすることができる。
【００２８】
光検知部１０８により連続して光を検知しているときは、例えばメモリ１０５のデータが書き換えられる度に、表示制御ＩＣチップ１０６がメモリ１０５のデータを読み取り、ディスプレイ１０２の表示を更新するようにしてもよい。或いは、表示制御ＩＣチップ１０６がメモリ１０５のデータを定期的に読み取り、データが書き換えられていればディスプレイ１０２の表示を更新するようにしてもよい。
【００２９】
以上述べたように、光検知部１０８により光を検知すると、電源１０７の電力供給により、表示制御ＩＣチップ１０６がメモリ１０５のデータに対応させるようにディスプレイ１０２の表示制御を行うようにしたので、必要なときに自動的にディスプレイ１０２の表示が最新の内容に更新されるとともに、電源１０７の電力が無駄に消費されないようにすることができる。
【００３０】
また、スイッチを設けないので、簡易な構造とすることができ、コストアップや耐久性の低下を避けることができる。
【００３１】
さらに、光検知部１０８として太陽電池を用いているので、光を検知しているときには、太陽電池が発生する電力を電源１０７の補助電力としても利用することができる。太陽電池が発生する電力が十分であるならば、太陽電池が光検知部１０８及び電源１０７の両方の役割を担ってもよい。
【００３２】
以上、本発明を種々の実施形態と共に説明したが、本発明はこれらの実施形態にのみ限定されるものではなく、本発明の範囲内で変更等が可能である。例えば、上記実施形態では、メモリ１０５がＩＣチップ１０４や表示制御ＩＣチップ１０６と別体であるように図示したが、例えばＩＣチップ１０４に実装されていてもよい。
【００３３】
また、ＩＣチップ１０４及び表示制御ＩＣチップ１０６がメモリ１０５を共有する構成としたが、定期券情報、デジタルチケット情報、ＳＦの残額情報の正データを記憶するＩＣチップ１０４用メモリと、正データに対応するディスプレイ表示用データを記憶する表示制御ＩＣチップ１０６用メモリとを別にしてもよい。
【図面の簡単な説明】
【００３４】
【図１】本発明を適用した実施形態に係る非接触ＩＣカードの構成を示す図である。
【図２】本発明を適用した実施形態に係る非接触ＩＣカードの構成を示す図である。
【図３】非接触ＩＣカードと駅務機器とが無線通信を行っている状態を示す図である。
【符号の説明】
【００３５】
１００    非接触ＩＣカード
１０１    カード本体
１０２    ディスプレイ
１０３    アンテナ
１０４    ＩＣチップ
１０５    メモリ
１０６    表示制御ＩＣチップ
１０７    電源
１０８    光検知部
【図１】
2008217093.tif 000003
【図２】
2008217093.tif 000004
【図３】
2008217093.tif 000005